(57)【要約】【課題】蓋体の散乱を防止できると共に、食し易さ、注ぎ易さを有する安価なボトル容器を提供する。【解決手段】ボトル本体１１の飲み口部１３に螺着される蓋体１２を備えたボトル容器１０において、ボトル本体１１の底部１４に蓋体１２を嵌合させて装着可能な凹状取り付け部１５を有する。このボトル容器１０は、ボトル本体１１の凹状取り付け部１５に装着する蓋体１２がボトル本体１１の底部１４の先端より奥に装着可能や、ボトル本体１１の凹状取り付け部１５に装着する蓋体１２を指で把持して取り出すための凹状取り付け部１５の周縁に指が挿入可能な切り欠き部１８を有したり、ボトル本体１１の凹状取り付け部１５に装着する蓋体１２の外周壁面１６、及び凹状取り付け部１５の壁面１７に、突起、又は凹みからなる蓋体１２の脱落防止用ストッパー部１９を有するのがよい。【選択図】図１
0003128003.tif 000002
【実用新案登録請求の範囲】
【請求項１】
ボトル本体の飲み口部に螺着される蓋体を備えたボトル容器において、
前記ボトル本体の底部に前記蓋体を嵌合させて装着可能な凹状取り付け部を有することを特徴とするボトル容器。
【請求項２】
請求項１記載のボトル容器において、前記ボトル本体の前記凹状取り付け部に装着する前記蓋体が前記ボトル本体の底部の先端より奥に装着可能であることを特徴とするボトル容器。
【請求項３】
請求項１又は２記載のボトル容器において、前記ボトル本体の前記凹状取り付け部に装着する前記蓋体を指で把持して取り出すための前記凹状取り付け部の周縁に前記指が挿入可能な切り欠き部を有することを特徴とするボトル容器。
【請求項４】
請求項１又はこれに従属する請求項２又は３のいずれか一項記載のボトル容器において、前記ボトル本体の前記凹状取り付け部に装着する前記蓋体の外周壁面、及び前記凹状取り付け部の壁面に、突起、又は凹みからなる前記蓋体の脱落防止用ストッパー部を有することを特徴とするボトル容器。
【考案の詳細な説明】
【技術分野】
【０００１】
本考案は、ジュース、炭酸飲料等の清涼飲料水や、水等が充填されたペットボトル等のボトル容器に関し、特に、開栓後の蓋体が脱落や、紛失によって散乱するのを防止することができるボトル容器に関する。
【背景技術】
【０００２】
従来のボトル容器は、通常、ペット（ＰＥＴ：ポリエチレンテレフタレート）等の樹脂製からなるボトル本体の飲み口部に螺着されるプラスチック等の樹脂製からなる蓋体を備えた構造、あるいは、アルミニウムや、鉄等の金属製ボトル等からなるボトル本体の飲み口部に金属製等からなる蓋体を備えた構造となっている。そして、ボトル容器に充填されているジュース等の内容物を食す時には、蓋体を旋回開栓してボトル本体の飲み口部に直接口を当接させて内容物を食したり、飲み口部から一旦内容物をコップ等に注いで食している。そして、空になったボトル容器は、近年の資源のリサイクル運動に呼応して回収が進められている。
【０００３】
しかしながら、ボトル本体の飲み口部から外される蓋体は、これを収納しておくところがないことからの脱落による紛失や、ポイ捨て等によって道端等に散乱し、著しく環境を悪化させる要因を作り出している。
【０００４】
この問題に対応できる従来のボトル容器には、ボトル本体の飲み口部に螺着される蓋体を備えたボトル容器において、蓋体がボトル本体の飲み口部の首部に着脱自在、且つ、回動自在に取り付けられる支持リングと、支持リングから延設するヒンジ部を介して連結するように形成され、蓋体の散乱を防止できるものが提案されている（例えば、特許文献１参照）。
【０００５】
また、従来のボトル容器には、ボトル本体の飲み口部に螺着される蓋体を備えたボトル容器において、蓋体がボトル本体の飲み口部に取り付けられる支持リングと、支持リングから延設するヒンジ部を介して連結するように形成されているものが開示されている。上記の蓋体は、支持リングに内周側ネジに突出して係合突起が形成され、蓋体の旋回開栓によってボトル本体の飲み口部に形成されている係合突起に対応できる２つの突起からなる係合溝に回動自在で、しかも、ヒンジ部を介して蓋体自体が脱落不可の状態で収まるようになっている（例えば、特許文献２参照）。
【０００６】
【特許文献１】特開２００１−７２１２０号公報
【特許文献２】特開２００１−１５１２６１号公報
【考案の開示】
【考案が解決しようとする課題】
【０００７】
しかしながら、前述したような従来のボトル容器は、未だ解決すべき次のような問題がある。
特開２００１−７２１２０号公報や、特開２００１−１５１２６１号公報で開示されるようなボトル本体の飲み口部に取り付けられる支持リングと、支持リングから延設するヒンジ部を介して連結する蓋体を有するボトル容器は、確かに蓋体の脱落や、紛失や、ポイ捨て等を防止して、蓋体が道端等に散乱し、著しく環境を悪化させるのを防止することができるものの、ボトル本体の飲み口部に連結するような構成からなる蓋体付きのボトル容器が高価なものとなっている。また、支持リングと、支持リングから延設するヒンジ部を介して連結する蓋体を有するボトル容器は、内容物をボトル本体の飲み口部に口を当接させて直接食する場合や、内容物をコップ等に注ぐ場合にヒンジ部や、蓋体が邪魔になり食しずらくなったり、注ぎずらくなっている。
【０００８】
本考案は、かかる事情に鑑みてなされたものであって、環境に配慮した蓋体の散乱を防止できると共に、食し易さ、注ぎ易さを有する安価なボトル容器を提供することを目的とする。
【課題を解決するための手段】
【０００９】
前記目的に沿う本考案に係るボトル容器は、ボトル本体の飲み口部に螺着される蓋体を備えたボトル容器において、ボトル本体の底部に蓋体を嵌合させて装着可能な凹状取り付け部を有する。
【００１０】
ここで、上記のボトル容器は、ボトル本体の凹状取り付け部に装着する蓋体がボトル本体の底部の先端より奥に装着可能であるのがよい。
【００１１】
また、上記のボトル容器は、ボトル本体の凹状取り付け部に装着する蓋体を指で把持して取り出すための凹状取り付け部の周縁に指が挿入可能な切り欠き部を有するのがよい。
【００１２】
更に、上記のボトル容器は、ボトル本体の凹状取り付け部に装着する蓋体の外周壁面、及び凹状取り付け部の壁面に、突起、又は凹みからなる蓋体の脱落防止用ストッパー部を有するのがよい。
【考案の効果】
【００１３】
請求項１又はこれに従属する請求項２〜４いずれか一項記載のボトル容器は、ボトル本体の底部に蓋体を嵌合させて装着可能な凹状取り付け部を有するので、開栓した蓋体を装着させることができるところである凹状取り付け部をボトル本体の底部に確保すると共に、蓋体を凹状取り付け部に嵌合して装着させることができ、蓋体の脱落や、紛失や、ポイ捨て等を防止できて、蓋体が道端等に散乱し、著しく環境を悪化させるのを防止することができる。また、ボトル本体には、内容物をボトル本体の飲み口部に口を当接させて直接食する場合や、内容物をコップ等に注ぐ場合に邪魔になるものがないので、内容物を食しずらくなったり、注ぎずらくなるのを防止することができる。更に、後述する考案を実施するための最良の形態の中で説明する図２（Ａ）、（Ｂ）のボトル本体は、ボトル本体作製時に底部に凹状取り付け部を形成するだけで作製できるので、蓋体は既存のものが使え、ボトル容器全体を安価で単純なものとすることができる。
【００１４】
特に、請求項２記載のボトル容器は、ボトル本体の凹状取り付け部に装着する蓋体がボトル本体の底部の先端より奥に装着可能であるので、ボトル本体の底部の凹状取り付け部に蓋体を装着した状態でボトル容器をテーブル等に載置しても転倒したり、不安定な状態で立設するのを防止することができる。
【００１５】
また、特に、請求項３記載のボトル容器は、ボトル本体の凹状取り付け部に装着する蓋体を指で把持して取り出すための凹状取り付け部の周縁に指が挿入可能な切り欠き部を有するので、ボトル本体の底部の凹状取り付け部に蓋体を装着したり、取り外すことを容易に行うことができる。
【００１６】
更に、特に、請求項４記載のボトル容器は、ボトル本体の凹状取り付け部に装着する蓋体の外周壁面、及び凹状取り付け部の壁面に、突起、又は凹みからなる蓋体の脱落防止用ストッパー部を有するので、ボトル本体の底部の凹状取り付け部に蓋体を装着した状態でボトル容器に衝撃があったとしても、容易に蓋体が外れて道端等に散乱し、著しく環境を悪化させるのを防止することができる。
【考案を実施するための最良の形態】
【００１７】
続いて、添付した図面を参照しつつ、本考案を具体化した実施するための最良の形態について説明し、本考案の理解に供する。
ここに、図１（Ａ）、（Ｂ）はそれぞれ本考案の一実施の形態に係るボトル容器の説明図、図２（Ａ）〜（Ｃ）はそれぞれ同ボトル容器の変形例、他の変形例、更に他の変形例の底部の断面図である。
【００１８】
図１（Ａ）、（Ｂ）を参照しながら、本考案の一実施の形態に係るボトル容器１０を説明する。ここで、図１（Ａ）は、ボトル本体１１と、蓋体１２からなるボトル容器１０のボトル本体１１の飲み口部１３に蓋体１２が螺着して閉栓状態となっているところを示す正面図である。図１（Ｂ）は、ボトル本体１１の底部１４の平面図である。
【００１９】
図１（Ａ）、（Ｂ）に示すように、本考案の一実施の形態に係るボトル容器１０は、ボトル本体１１がペット（ポリエチレンテレフタレート）等を用いて延伸吹き込み成型加工等で得られる軽量で、強度が高く、安価な樹脂製からなり、冠状の蓋体１２が樹脂鋳込み成型加工等で得られるプラスチック製からなっている。あるいは、本考案の一実施の形態に係るボトル容器１０は、ボトル本体１１や、蓋体１２が軽量で、強度の高いアルミニウムや、スチール等からなる金属製からなっている。このボトル容器１０は、ボトル本体１１の内部に清涼飲料水や、水等の内容物が充填され、蓋体１２をボトル本体１１の飲み口部１３に螺着させることで内容物が封入された状態となっている。そして、ボトル容器１０に充填されている内容物は、蓋体１２を旋回開栓してボトル本体１１の飲み口部１３に直接口を当接させて内容物を食するようにしたり、飲み口部１３から一旦内容物をコップ等に注いで食するようにしている。
【００２０】
上記のボトル容器１０は、ボトル本体１１の底部１４に開栓した蓋体１２を嵌合させて装着が可能な凹状取り付け部１５を有している。ボトル本体１１の飲み口部１３から旋回開栓された蓋体１２は、凹状取り付け部１５に圧入して外周壁面１６をボトル本体１１底部１４の凹状取り付け部１５の壁面１７に嵌合して装着できるので、強固に保持されて凹状取り付け部１５からの脱落を防止することができる。なお、このボトル容器１０は、通常、蓋体１２の外周壁面１６が略垂直に形成されているので、凹状取り付け部１５の壁面１７も略垂直とすることで開栓した蓋体１２を上、下どちらの方向からでもを凹状取り付け部１５に装着できるようになっている。
【００２１】
次に、図２（Ａ）〜（Ｃ）を参照しながら本考案の一実施の形態に係るボトル容器１０の変形例のボトル容器１０ａ、１０ｂ、１０ｃを説明する。
図２（Ａ）に示すように、ボトル容器１０の変形例のボトル容器１０ａは、ボトル本体１１ａの凹状取り付け部１５ａに装着する蓋体１２がボトル本体１１ａの底部１４の先端より奥に装着可能となっている。すなわち、ボトル容器１０ａは、凹状取り付け部１５ａの底面からボトル本体１１ａの底部１４の先端までの距離ａが蓋体１２の高さｂより大きく（ａ＞ｂ）なっている。これにより、ボトル容器１０ａは、蓋体１２をボトル本体１１ａの凹状取り付け部１５ａに装着した状態であっても、テーブル等に安定させて載置させることができる。
【００２２】
図２（Ｂ）に示すように、ボトル容器１０の他の変形例のボトル容器１０ｂは、ボトル本体１１ｂの凹状取り付け部１５ｂに装着する蓋体１２を指で把持して容易に取り出すことができるための凹状取り付け部１５ｂの周縁に、指を挿入させることができる程度の切り欠き部１８を有している。この切り欠き部１８は、凹状取り付け部１５ｂの周縁の全周にわたって、又は部分的に複数箇所に設けるている。これにより、ボトル容器１０ｂは、凹状取り付け部１５ｂへの蓋体１２の装着や、凹状取り付け部１５ｂからの蓋体１２の取り出しを容易に行うことができる。
【００２３】
図２（Ｃ）に示すように、ボトル容器１０の更に他の変形例のボトル容器１０ｃは、ボトル本体１１ｃの凹状取り付け部１５ｃに装着する蓋体１２ａの外周壁面、及び凹状取り付け部１５ｃの壁面に、突起、又は凹みからなる蓋体１２ａの脱落防止用ストッパー部１９を有している。この脱落防止用ストッパー部１９は、蓋体１２ａの外周壁面１６と、凹状取り付け部１５ｃの壁面１７のいずれか一方側に突起を設ける場合に、他方側を凹みとして、互いが嵌め合いとなるようにしている。この脱落防止用ストッパー部１９によって、蓋体１２ａは、ボトル本体１１ｃの凹状取り付け部１５ｃに強固に装着させることができる。なお、蓋体１２ａの突起、又は凹みは、高さ方向の中央部に設けるようにすると共に、凹状取り付け部１５ｃの壁面１７の突起、又は凹みは、蓋体１２ａを凹状取り付け部１５ｃの底に当接させた時に嵌め合いとなる位置に設けることで、蓋体１２ａを凹状取り付け部１５ｃに上下いずれの方向から挿入しても脱落防止用ストッパー部１９で嵌め合い状態となるようにして装着させることができる。
【産業上の利用可能性】
【００２４】
本考案のボトル容器は、蓋体の脱落や、紛失や、ポイ捨て等を防止できる飲料用の容器として、ジュース、炭酸飲料等の清涼飲料水や、水等を収納し、開栓して内容物を食するためのペットボトルや、スチールボトル等に用いることができる。
【図面の簡単な説明】
【００２５】
【図１】（Ａ）、（Ｂ）はそれぞれ本考案の一実施の形態に係るボトル容器の説明図である。
【図２】（Ａ）〜（Ｃ）はそれぞれ同ボトル容器の変形例、他の変形例、更に他の変形例の底部の断面図である。
【符号の説明】
【００２６】
１０、１０ａ、１０ｂ、１０ｃ：ボトル容器、１１、１１ａ、１１ｂ、１１ｃ：ボトル本体、１２、１２ａ：蓋体、１３：飲み口部、１４：底部、１５、１５ａ、１５ｂ、１５ｃ：凹状取り付け部、１６：外周壁面、１７：壁面、１８：切り欠き部、１９：脱落防止用ストッパー部
【図１】
0003128003.tif 000003
【図２】
0003128003.tif 000004